(57)【特許請求の範囲】
【請求項１】
建物躯体のフラットな壁面に沿って設置されるカーテンウォールユニットであって、
前記壁面に直交する方向において当該壁面から突出して配置可能な第一縦枠および第二縦枠と、前記第一縦枠および前記第二縦枠の室外上端部に取り付けられる外上枠と、前記第一縦枠および前記第二縦枠の室外下端部に取り付けられる外下枠と、前記第一縦枠および前記第二縦枠の室内上端部に取り付けられる内上枠と、前記第一縦枠および前記第二縦枠の室内下端部に取り付けられる内下枠と、前記第一縦枠および前記第二縦枠の室外端部と前記外上枠および前記外下枠とに保持される外パネルと、を備え、
前記第一縦枠および前記第二縦枠は、互いに異なる見込み寸法を有して構成され、
前記外上枠および前記内上枠と前記外下枠および前記内下枠とには、横板部材がそれぞれ取り付けられる
ことを特徴とするカーテンウォールユニット。
【請求項２】
請求項１に記載のカーテンウォールユニットにおいて、
前記第一縦枠および前記第二縦枠の室外端部は、前記外パネルの室内面に対向する対向片部と、前記外パネルの室外面に対向する押縁とによってそれぞれ形成され、
前記対向片部および前記押縁の外面は、前記第一縦枠および前記第二縦枠の見込み方向に直交する水平方向に対して傾斜して形成される
ことを特徴とするカーテンウォールユニット。
【請求項３】
請求項１または請求項２に記載のカーテンウォールユニットにおいて、
前記第一縦枠および前記第二縦枠は、同一断面形状の押出し形材によって形成された縦枠本体をそれぞれ備え、
前記第一縦枠および前記第二縦枠のいずれか一方は、前記縦枠本体から室外側に延出する延出枠体をさらに備える
ことを特徴とするカーテンウォールユニット。
【請求項４】
請求項１から請求項３のいずれか一項に記載のカーテンウォールユニットにおいて、
前記内上枠および前記内下枠は、同一断面形状の押出し形材によって形成される
ことを特徴とするカーテンウォールユニット。
【請求項５】
請求項１から請求項４のいずれか一項に記載のカーテンウォールユニットにおいて、
前記外上枠および前記内上枠に取り付けられる前記横板部材よりも上方において、前記外上枠および前記内上枠間を塞ぐ塞ぎパネルが取り付けられる
ことを特徴とするカーテンウォールユニット。
【請求項６】
請求項５に記載のカーテンウォールユニットにおいて、
前記外パネルよりも室内側に設置される内パネルを備える
ことを特徴とするカーテンウォールユニット。
【請求項７】
請求項６に記載のカーテンウォールユニットにおいて、
前記外下枠および前記内下枠に取り付けられる前記横板部材と前記第一縦枠および前記第二縦枠の少なくとも一方の縦枠とには、通気口が形成される
ことを特徴とするカーテンウォールユニット。
【請求項８】
請求項７に記載のカーテンウォールユニットにおいて、
前記通気口が形成される前記第一縦枠および前記第二縦枠の少なくとも一方の縦枠は、当該一方の縦枠に形成された前記通気口に対して間隔を隔てて当該通気口外側に配置される見込み片部を有した押縁を備える
ことを特徴とするカーテンウォールユニット。
【請求項９】
請求項１から請求項８のいずれか一項に記載のカーテンウォールユニットが複数並設されて構成されることを特徴とするカーテンウォール。
【発明の詳細な説明】
【技術分野】
【０００１】
本発明は、建物の外壁面を形成するカーテンウォールを構成するカーテンウォールユニットおよびカーテンウォールに関する。
【背景技術】
【０００２】
従来、カーテンウォールとして、垂直方向に沿って同一平面状に交互に配置された窓ユニットおよび外装パネルを複数列備え、各列における窓ユニットおよび外装パネルが、水平方向に沿って入隅部および出隅部を形成してジグザグ状に配設されたものが知られている（特許文献１参照）。
このカーテンウォールが設置される建物の躯体の壁面は、水平方向にジグザグ状に形成されており、カーテンウォールは、この躯体のジグザグ状の壁面に対してボルト、金具等の支持金物を介して取り付けられている。
【先行技術文献】
【特許文献】
【０００３】
【特許文献１】特公昭６２−２７２２０号公報
【発明の概要】
【発明が解決しようとする課題】
【０００４】
ところで、特許文献１に記載のカーテンウォールは、窓ユニットおよび外装パネルが躯体のジグザグ状の壁面に沿って設置されることでジグザグ状に配設されているため、躯体の壁面がフラット状に形成されている場合には、窓ユニットおよび外装パネルが当該フラットな壁面に沿って設置されてフラット状に配設されることとなる。従って、躯体のフラットな壁面に沿って配設されるカーテンウォールによってジグザグ状の外壁面（主にファサード面）を構成することは困難である。
【０００５】
本発明の目的は、建物躯体のフラットな壁面に沿って配設されてジグザグ状の外壁面を構成できるカーテンウォールユニットおよびカーテンウォールを提供することにある。
【課題を解決するための手段】
【０００６】
本発明のカーテンウォールユニットは、建物躯体のフラットな壁面に沿って設置されるカーテンウォールユニットであって、前記壁面に直交する方向において当該壁面から突出して配置可能な第一縦枠および第二縦枠と、前記第一縦枠および前記第二縦枠の室外上端部に取り付けられる外上枠と、前記第一縦枠および前記第二縦枠の室外下端部に取り付けられる外下枠と、前記第一縦枠および前記第二縦枠の室内上端部に取り付けられる内上枠と、前記第一縦枠および前記第二縦枠の室内下端部に取り付けられる内下枠と、前記第一縦枠および前記第二縦枠の室外端部と前記外上枠および前記外下枠とに保持される外パネルと、を備え、前記第一縦枠および前記第二縦枠は、互いに異なる見込み寸法を有して構成され、前記外上枠および前記内上枠と前記外下枠および前記内下枠とには、横板部材がそれぞれ取り付けられることを特徴とする。
【０００７】
本発明のカーテンウォールユニットによれば、第一縦枠および第二縦枠は、互いに異なる見込み寸法を有して構成されるため、第一縦枠および第二縦枠を建物躯体のフラットな壁面に直交する方向において当該壁面から突出して配置した場合には、当該第一縦枠および第二縦枠の室外端部は互いに異なる見込み位置に配置され、当該室外端部に保持される外パネルは、水平方向において建物躯体の壁面に対して斜めに配置される。このため、当該カーテンウォールユニットを複数並設することにより、建物躯体のフラットな壁面に沿って配設されてジグザグ状の外壁面を構成するカーテンウォールを形成できる。
また、このような構成によれば、外上枠および外下枠が第一縦枠および第二縦枠の室外上端部、室外下端部に取り付けられるため、外上枠および外下枠を外パネルに沿って配置できる。これにより、第一縦枠、第二縦枠による外パネルの保持に加えて、外上枠および外下枠によっても外パネルを保持するため、一般的な保持構造を採用でき、外パネルの周縁を確実に保持できる。
加えて、このような構成によれば、外上枠および内上枠と外下枠および内下枠とは別体として横板部材が形成されるため、横板部材単体を所定形状に容易に加工できる。また、例えば、外上枠（外下枠）と横板部材とを一定幅寸法を有する押し出し形材によって一体形成したものを三角形状等の所定形状に全長カットする場合と比べ、横板部材の加工における材料の無駄を少なくできる。
【０００８】
本発明のカーテンウォールユニットでは、前記第一縦枠および前記第二縦枠の室外端部は、前記外パネルの室内面に対向する対向片部と、前記外パネルの室外面に対向する押縁とによってそれぞれ形成され、前記対向片部および前記押縁の外面は、前記第一縦枠および前記第二縦枠の見込み方向に直交する水平方向に対して傾斜して形成されることが好ましい。
このような構成によれば、第一縦枠および第二縦枠の対向片部および押縁の外面が、縦枠の見込み方向に直交する水平方向に対して傾斜して形成されるため、当該対向片部および押縁に対して外パネルを平行に配置することで、一般的なガスケットなどを採用でき、施工性を向上できる。
【０００９】
本発明のカーテンウォールユニットでは、前記第一縦枠および前記第二縦枠は、同一断面形状の押出し形材によって形成された縦枠本体をそれぞれ備え、前記第一縦枠および前記第二縦枠のいずれか一方は、前記縦枠本体から室外側に延出する延出枠体をさらに備えることが好ましい。
このような構成によれば、第一縦枠および第二縦枠のいずれか一方に延出枠体を設けることで、当該一方の縦枠を他方の縦枠よりも長い見込み寸法に簡単に設定できる。これにより、建物躯体の壁面に対する外パネルの斜め配置の向きを簡単に変更でき、山谷連続状、ノコギリ状等の様々なジグザグ状の外壁面を構成できる。
また、各縦枠本体に沿ってシール材などを装着した場合には、カーテンウォールユニットを左右方向に並設した際に各縦枠本体のシール材同士を容易に当接でき、水密性を向上できる。
【００１２】
本発明のカーテンウォールユニットでは、前記内上枠および前記内下枠は、同一断面形状の押出し形材によって形成されることが好ましい。
このような構成によれば、同一断面形状の押出し形材によって内上枠および内下枠が形成されるため、構成を共通化でき、内上枠および内下枠に沿ってシール材などを装着した場合には、カーテンウォールユニットを上下方向に並設した際に隣り合う内上枠および内下枠のシール材同士を容易に当接でき、水密性を向上できる。
さらに、第一縦枠および第二縦枠が、同一断面形状の押出し形材によって形成された縦枠本体をも備える場合には、各縦枠本体、内上枠および内下枠に沿って連続する位置にシール材を装着することが容易となり、カーテンウォールユニットの室内側寄りの位置に水密ラインを簡単に形成できる。
【００１３】
本発明のカーテンウォールユニットでは、前記外上枠および前記内上枠に取り付けられる前記横板部材よりも上方において、前記外上枠および前記内上枠間を塞ぐ塞ぎパネルが取り付けられることが好ましい。
このような構成によれば、塞ぎパネルによって外上枠および内上枠間を塞ぐことで、カーテンウォールユニットの上方から外パネルの室内側に雨水が降り込むことを防ぐことができる。なお、塞ぎパネルと外上枠および内上枠との間には、湿式のシール材等が施工されると、より効果的に雨水の降り込みを防止できる。
【００１４】
本発明のカーテンウォールユニットでは、前記外パネルよりも室内側に設置される内パネルを備えることが好ましい。
このような構成によれば、室外側に外パネルが配置されるとともに、室内側に内パネルが配置されるため、当該外パネルおよび内パネル間に空気層を形成して断熱性を向上できるダブルスキンカーテンウォールユニットを構成できる。
【００１５】
本発明のカーテンウォールユニットでは、前記外下枠および前記内下枠に取り付けられる前記横板部材と前記第一縦枠および前記第二縦枠の少なくとも一方の縦枠とには、通気口が形成されることが好ましい。
このような構成によれば、前述したダブルスキンカーテンウォールユニットにおいて、外部空間と外パネルおよび内パネル間の空間とを連通する通気口を、外下枠および前記内下枠に取り付けられる横板部材と第一縦枠および第二縦枠の少なくとも一方の縦枠とに形成することで、外パネルおよび内パネル間の空気を換気できる。例えば、外下枠および前記内下枠に取り付けられる横板部材に形成された通気口から給気でき、当該横板部材よりも高い位置にある第一縦枠および第二縦枠の少なくとも一方の縦枠に形成された通気口から排気できる。これにより、カーテンウォールユニットの内部熱を効率的に放熱できる。
【００１６】
本発明のカーテンウォールユニットでは、前記通気口が形成される前記第一縦枠および前記第二縦枠の少なくとも一方の縦枠は、当該一方の縦枠に形成された前記通気口に対して間隔を隔てて当該通気口外側に配置される見込み片部を有した押縁を備えることが好ましい。
このような構成によれば、第一縦枠および第二縦枠の少なくとも一方の縦枠の押縁が、通気口に対して間隔を隔てて当該通気口外側に配置される見込み片部を有するため、この見込み片部によって通気口を通気可能にカバーでき、防塵性の向上を図ることができる。
また、見込み片部によって雨水を伴う外気の吹き込みに対し、カバー材端部から通気口までの経路で水を流下させることで当該吹き込みを防止できる。
【００１７】
本発明のカーテンウォールは、前述した本発明のカーテンウォールユニットが複数並設されて構成されることを特徴とする。
本発明のカーテンウォールによれば、前述した本発明のカーテンウォールユニットと同様の作用効果を発揮可能なカーテンウォールとすることができる。
【発明の効果】
【００１８】
本発明によれば、建物躯体のフラットな壁面に沿って配設されてジグザグ状の外壁面を構成できるカーテンウォールユニットおよびカーテンウォールを提供できる。
【図面の簡単な説明】
【００１９】
【図１】本発明の第１実施形態に係るカーテンウォールを示す正面図。
【図２】第１実施形態に係るカーテンウォールを示す縦断面図。
【図３】第１実施形態に係るカーテンウォールを示す横断面図。
【図４】第１実施形態に係るカーテンウォールを拡大して示す横断面図。
【図５】図３のＶ−Ｖ線に沿った縦断面図。
【図６】図３のＶＩ−ＶＩ線に沿った縦断面図。
【図７】第１実施形態において各ユニットを配置変更して示す横断面図。
【図８】第１実施形態において各ユニットを配置変更して示す横断面図。
【図９】本発明の第２実施形態に係るカーテンウォールの横断面図。
【図１０】第２実施形態に係るカーテンウォールを拡大して示す横断面図。
【図１１】図９のＸＩ−ＸＩ線に沿った縦断面図。
【図１２】図９のＸＩＩ−ＸＩＩ線に沿った縦断面図。
【図１３】第２実施形態において各ユニットを配置変更して示す横断面図。
【図１４】第２実施形態において各ユニットを配置変更して示す横断面図。
【発明を実施するための形態】
【００２０】
［第１実施形態］
以下、本発明の第１実施形態を図面に基づいて説明する。
図１〜３において、第１実施形態に係るカーテンウォール１は、建物躯体２のフラットな壁面３に沿って設置されるものであり、複数のカーテンウォールユニット１０（ユニット）が上下左右に並設されて構成されている。
建物躯体２は、梁４と、梁４で支持される床スラブ５とを備えている。床スラブ５の下部には吊り天井６が設置されている。床スラブ５には、カーテンウォールユニット１０が連結されている。本実施形態では、建物躯体２の壁面３は、床スラブ５の室外端面をつないで形成されるフラット状の仮想面である。建物躯体２を鉄骨で構成した場合は、床スラブに代えて横鉄骨や縦鉄骨を建物躯体２として用いることも可能である。
【００２１】
複数のカーテンウォールユニット１０は、図３に示すように左右同じ向きに配置されて平面視ノコギリ状の外壁面（本実施形態ではファザード面）を構成している。
カーテンウォールユニット１０は、予めユニットとして組み立てられ、その後に建物躯体２に設置されるものである。カーテンウォールユニット１０は、図４〜６に示すように、左右の縦枠２０，３０と、外上枠４０Ａおよび外下枠４０Ｂと、外パネル５０と、内上枠６０Ａおよび内下枠６０Ｂと、上下の横板部材７１，７２と、塞ぎパネル８０とを備えて構成されている。
縦枠２０，３０、外上枠４０Ａ、外下枠４０Ｂ、内上枠６０Ａ、内下枠６０Ｂおよび横板部材７１，７２は、開口１１を形成している。また、縦枠２０，３０、外上枠４０Ａおよび外下枠４０Ｂによって外パネル５０の四周が保持されている。
なお、外パネル５０は、本実施形態では二重の合わせガラスパネルによって構成されている。
【００２２】
縦枠２０（第一縦枠）は、建物躯体２の壁面３に直交する方向において当該壁面３から突出して配置されるものである。この縦枠２０は、図４に示すように、縦枠本体２１と、延出枠体２２と、押縁２３とを備えて構成されている。縦枠本体２１および延出枠体２２は、アルミ押出形材によってそれぞれ形成されている。
【００２３】
縦枠本体２１は、室外側見付け片部２１１と、縦枠見込み片部２１２と、室内側見付け片部２１３と、係合片部２１４と、延出片部２１５とを有して構成されている。
室外側見付け片部２１１は、縦枠見込み片部２１２の室外端部から開口１１の外側に配置されている。室外側見付け片部２１１の先端には、係合片部２１４が室内側に延出して形成されている。
室外側見付け片部２１１の室外面は、縦枠２０の見込み方向に直交する水平方向に対して、縦枠見込み片部２１２から当該室外側見付け片部２１１の先端にわたって室内側に傾斜している。室外側見付け片部２１１の室外面の傾斜角度は、カーテンウォールユニット１０の横幅寸法と縦枠２０，３０の見込み寸法とに基づいて設定されている。
また、室外側見付け片部２１１の室外面には、ガスケット１２Ａが取付可能な突起２１１Ａ（取付け部）が形成されている。
【００２４】
縦枠見込み片部２１２には、二つのヒレ部を有した水密材１３Ａ（シール材、レインバリア）を装着した装着部２１２Ａと、気密材１４（ウインドバリア）を装着した装着部２１２Ｂとが形成されている。
室内側見付け片部２１３は、縦枠２０の見付け方向に沿って縦枠見込み片部２１２の室内端部から開口１１の外側に配置されている。室内側見付け片部２１３の先端には、延出片部２１５が縦枠２０の見込み方向に延出して形成されている。延出片部２１５の先端は、装着部２１２Ｂに連続している。
係合片部２１４には、押縁２３が係合可能な鉤状の係合部が形成されている。
【００２５】
延出枠体２２は、パネル対向片部２２１（対向片部）と、延出見込み片部２２２と、連結枠部２２３とを有して構成されている。
【００２６】
パネル対向片部２２１は、延出見込み片部２２２の室外端部から開口１１の外側に配置されて外パネル５０の室内面に対向している。パネル対向片部２２１の先端には、押縁２３と係合する係合部２２１Ａが形成されている。
パネル対向片部２２１の室外面は、縦枠２０の見込み方向に直交する水平方向に対して、延出見込み片部２２２から当該パネル対向片部２２１の先端にわたって室外側に傾斜している。パネル対向片部２２１の室外面の傾斜角度は、カーテンウォールユニット１０の横幅寸法と縦枠２０，３０の見込み寸法とに基づいて設定されている。
また、パネル対向片部２２１の室外面には、ガスケット１２Ａが取り付けられた突起２２１Ｂ（取付け部）が形成されている。
【００２７】
延出見込み片部２２２には、押縁２３と係合可能な鉤状の係合部２２２Ａを有している。
連結枠部２２３は、延出見込み片部２２２の室外側に断面略矩形枠状に形成されているとともに、縦枠２０の見付け方向において延出見込み片部２２２よりも開口１１の外側に位置する当接部２２３Ａを有している。
【００２８】
連結枠部２２３は、ボルト、ナットで構成される連結具２２５によって室外側見付け片部２１１に連結されている。連結具２２５による連結状態では、延出見込み片部２２２の室内端部および連結枠部２２３の当接部２２３Ａは室外側見付け片部２１１の室外面に当接し、延出見込み片部２２２の開口１１側の内面は、縦枠見込み片部２１２の開口１１側の内面と面一に配置される。このように延出枠体２２が縦枠本体２１に連結されることで、延出枠体２２は縦枠本体２１から室外側に延出して配置される。
【００２９】
押縁２３は、パネル対向片部２３１（対向片部）と、押縁見込み片部２３２（見込み片部）とを有して構成されている。
【００３０】
パネル対向片部２３１は、押縁見込み片部２３２から開口１１の内側に配置されて外パネル５０の室外面に対向している。パネル対向片部２３１の先端には、ガスケット１２Ｂが装着された装着部２３１Ａが形成されている。
パネル対向片部２３１の室内面は、縦枠２０の見込み方向に直交する水平方向に対して、押縁見込み片部２３２から当該パネル対向片部２３１の先端にわたって室内側に傾斜している。パネル対向片部２３１の室外面の傾斜角度は、カーテンウォールユニット１０の横幅寸法と縦枠２０，３０の見込み寸法とに基づいて設定されている。
【００３１】
押縁見込み片部２３２は、パネル対向片部２３１から係合部２２２Ａよりも室内側に延びて形成されており、縦枠２０の見込み方向において連結枠部２２３に対して間隔を隔てて位置している。
押縁見込み片部２３２には、係合部２２１Ａに係合している係合部２３２Ａと、先端で係合部２２２Ａに係合している係合片部２３２Ｂと、押縁見込み片部２３２の室内端部から開口１１の内側に延出した延出部２３２Ｃとを有して構成されている。
【００３２】
押縁２３の延出枠体２２への係合状態では、パネル対向片部２２１に取り付けられたガスケット１２Ａが外パネル５０の室内面に当接し、かつ、パネル対向片部２３１に装着されたガスケット１２Ｂが外パネル５０の室外面に当接して、外パネル５０の一方の縦縁部を保持している。
【００３３】
縦枠３０（第二縦枠）は、建物躯体２の壁面３に直交する方向において当該壁面３から突出して配置されるものである。この縦枠３０は、縦枠本体３１と、押縁３３とを有して構成されている。
縦枠本体３１は、縦枠２０の縦枠本体２１と同一断面形状の押出し形材によって形成されているので、適宜同符号を用いてその詳細な説明を省略する。
なお、縦枠本体３１は、縦枠本体２１に対して左右逆向きに配置されており、その室外側見付け片部２１１の室外面は、縦枠本体２１の室外側見付け片部２１１の室外面とは逆向きに傾斜して配置され、縦枠本体３１の突起２１１Ａにはガスケット１２Ａが取り付けられ、装着部２１２Ａ，２１２Ｂには水密材１３Ａおよび気密材１４がそれぞれ装着されている。縦枠本体３１の室外側見付け片部２１１によって外パネル５０の室内面に対向可能な対向片部が構成されている。縦枠本体３１の室外側見付け片部２１１の室外面の傾斜角度は、カーテンウォールユニット１０の横幅寸法と縦枠２０，３０の見込み寸法とに基づいて設定されている。
【００３４】
押縁３３は、断面略Ｌ字状であり、パネル対向片部３３１（対向片部）と、係合片部３３２とを有して構成されている。
パネル対向片部３３１は、係合片部３３２から開口１１の内側に配置されて外パネル５０の室外面に対向している。パネル対向片部３３１の先端には、ガスケット１２Ｂが装着された装着部３３１Ａが形成されている。
パネル対向片部３３１の室内面は、縦枠３０の見込み方向に直交する水平方向に対して、係合片部３３２から当該パネル対向片部３３１の先端にわたって室外側に傾斜している。パネル対向片部３３１の室内面の傾斜角度は、カーテンウォールユニット１０の横幅寸法と縦枠２０，３０の見込み寸法とに基づいて設定されている。つまり、押縁３３の外面は縦枠３０（第二縦枠）の見込み方向に直交する水平方向に対して傾斜して形成されている。
係合片部３３２は、縦枠３０の見込み方向に沿って配置されている。係合片部３３２には、係合片部２１４に係合している鉤状の係合部３３２Ａが形成されている。
【００３５】
押縁３３の縦枠本体３１への係合状態では、縦枠３０の室外側見付け片部２１１に取り付けられたガスケット１２Ａが外パネル５０の室内面に当接し、かつ、パネル対向片部３３１に装着されたガスケット１２Ｂが外パネル５０の室外面に当接して、外パネル５０の他方の縦縁部を保持している。
【００３６】
縦枠２０の見込み寸法は、縦枠３０の見込み寸法よりも、延出枠体２２を備えている分だけ長くなっている。また、縦枠本体２１，３１の室内側見付け片部２１３は、建物躯体２のフラットな壁面３に沿って位置している。従って、縦枠２０の室外端部は、縦枠３０の室外端部よりも室外側に位置し、縦枠２０，３０の室外端部に保持される外パネル５０は、フラットな壁面３に対して斜めに配置されている。
なお、延出枠体２２のパネル対向片部２２１の室外面および縦枠本体３１の室外側見付け片部２１１の室外面は、外パネル５０の室内面と平行であり、押縁２３，３３のパネル対向片部２３１，３３１は、外パネル５０の室外面と平行である。
また、左右方向において並設された各カーテンウォールユニット１０の縦枠本体２１，３１同士は左右逆向きに対向配置されているため、縦枠本体２１，３１に装着された水密材１３Ａ、気密材１４同士が当接している。
【００３７】
外上枠４０Ａは、図５，６に示すように、外上枠本体４１と、押縁４２とを有して構成されている。
外上枠本体４１は、アルミ押出形材によって断面略矩形枠状に形成され、その室外面に係合片部４１１および突起４１２（取付け部）が形成されている。外上枠本体４１の室外面は、外パネル５０の室内面と対向している。係合片部４１１は、外上枠本体４１の室外面から室外側に突出して形成されており、押縁４２に係合している鉤状の係合部４１１Ａを有している。また、突起４１２には、ガスケット１２Ａが取り付けられている。
この外上枠本体４１の長手方向における両端部は、アングル材などを介して延出枠体２２および縦枠本体３１の室外上端部にそれぞれ取り付けられている。
【００３８】
押縁４２は、断面略Ｌ字状であり、パネル対向片部４２１（対向片部）と、係合片部４２２とを有して構成されている。
パネル対向片部４２１は、係合片部４２２から開口１１の内側（下方）に配置されて外パネル５０の室外面に対向している。パネル対向片部４２１の先端には、ガスケット１２Ｂが装着された装着部４２１Ａが形成されている。
係合片部４２２は、外上枠４０Ａの見込み方向に沿って配置されている。係合片部４２２には、係合部４１１Ａに係合している鉤状の係合部４２２Ａが形成されている。
【００３９】
この外上枠４０Ａは、外パネル５０に沿って斜めに配置されている。押縁４２の外上枠本体４１への係合状態では、外上枠本体４１に取り付けられたガスケット１２Ａが外パネル５０の室内面に当接し、かつ、パネル対向片部４２１に装着されたガスケット１２Ｂが外パネル５０の室外面に当接して、外パネル５０の上縁部を保持している。
【００４０】
外下枠４０Ｂは、外下枠本体４５と、押縁４６とを有して構成されている。外下枠本体４５は、外上枠本体４１と同一断面形状のアルミ押出し形材によって形成されているので、適宜同符号を用いてその詳細な説明を省略する。また、押縁４６は、押縁４２と同一断面形状の押出し形材によって形成されているので、適宜同符号を用いてその詳細な説明を省略する。
なお、外下枠４０Ｂは、外上枠４０Ａと上下逆向きに配置されており、外下枠本体４５の突起４１２にはガスケット１２Ａが取り付けられ、押縁４６の装着部４２１Ａにはガスケット１２Ｂが装着されている。また、外下枠本体４５の長手方向における両端部は、アングル材などを介して延出枠体２２および縦枠本体３１の室外下端部にそれぞれ取り付けられている。
【００４１】
押縁４６の外下枠本体４５への係合状態では、外下枠本体４５に取り付けられたガスケット１２Ａが外パネル５０の室内面に当接し、かつ、押縁４６に装着されたガスケット１２Ｂが外パネル５０の室外面に当接して、外パネル５０の下縁部を保持している。
なお、外下枠本体４５の係合片部４１１上にはセッティングブロックが設けられ、このセッティングブロックに外パネル５０が載置されている。
【００４２】
内上枠６０Ａは、図５，６に示すように、アルミ押出形材によって形成されており、中空枠部６１と、内枠見込み片部６２と、取付け片部６３と、装着片部６４とを有して形成されている。
【００４３】
中空枠部６１は、断面略矩形状であって切欠部６１１が下部に形成されているとともに、内部に連結片６１２が設けられている。切欠部６１１には、耐火パネル１７の上端部が差し込まれて取り付けられている。
内枠見込み片部６２は、内上枠６０Ａの見込み方向に沿って中空枠部６１から室外側に配置されている。内枠見込み片部６２には、取付金具を介してブラインド装置（本実施形態では備えていない）を吊り下げるための吊下げ部材１８が取り付けられている。
取付け片部６３は、内枠見込み片部６２の室外側の先端から立ち上げられており、ビスを介して塞ぎパネル８０が取り付けられている。また、図６に示すように、縦枠３０側では、取付け片部６３と外上枠４０Ａの外上枠本体４１との間には、塞ぎパネル８０が配置されずにシールされている。
装着片部６４は、内上枠６０Ａの見込み方向に沿って中空枠部６１から室外側に配置されており、内枠見込み片部６２よりも開口１１の外側（上方）に位置している。なお、装着片部６４は、連結片部６５によって内枠見込み片部６２と連結されている。
【００４４】
装着片部６４には、装着部６４１、６４２が形成されている。装着部６４１には、一つのヒレ部を有した水密材１３Ｂ（レインバリア）が装着されており、装着部６４２には、気密材１４が装着されている。また、装着部６４１，６４２間には、雄嵌合部材１５が取り付けられている。
この内上枠６０Ａの長手方向における両端部は、縦枠本体２１，３１の室内上端部にアングル材などを介してそれぞれ取り付けられている。
【００４５】
内下枠６０Ｂは、内上枠６０Ａと同一断面形状のアルミ押出形材によって形成されているので、適宜同符号を用いてその詳細な説明を省略する。
なお、内下枠６０Ｂは、内上枠６０Ａと上下逆向きに配置されており、水密材１３Ｂ、気密材１４のほか、雄嵌合部材１５ではなく雌嵌合部材１６が取り付けられている。また、内下枠６０Ｂの切欠部６１１は、蓋部材６１３によって塞がれている。
上下方向において並設された各カーテンウォールユニット１０の内上枠６０Ａ、内下枠６０Ｂ同士は上下逆向きに対向配置されているため、内上枠６０Ａ、内下枠６０Ｂに装着された水密材１３Ｂ、気密材１４同士が当接し、雄嵌合部材１５および雌嵌合部材１６が嵌合している。
【００４６】
ここで、縦枠本体２１，３１、内上枠６０Ａ、内下枠６０Ｂに装着された各水密材１３Ａ，１３Ｂは、カーテンウォールユニット１０の周縁を囲む水密ラインを形成している。また、縦枠本体２１，３１、内上枠６０Ａ、内下枠６０Ｂに装着された各気密材１４は、カーテンウォールユニット１０の周縁を囲む気密ラインを形成している。
【００４７】
横板部材７１，７２は、金属板を加工してそれぞれ同形状に形成されている。
横板部材７１は、図５，６に示すように、外上枠４０Ａの外上枠本体４１および内上枠６０Ａの内枠見込み片部６２の下方に配置され、ビスによって当該外上枠本体４１および内枠見込み片部６２に取り付けられている。
横板部材７１の室内縁７３は、内上枠６０Ａの長手方向に沿って配置されている。横板部材７１の一方の側縁は縦枠２０に沿って配置され、他方の側縁は縦枠３０に沿って配置されている。横板部材７１の一方の側縁は、他方の側縁よりも長く形成されている。従って、横板部材７１の室外縁７４は、室内縁７３に対して縦枠３０から縦枠２０にわたって室外側に傾斜している。
この横板部材７１は、縦枠２０，３０、外上枠４０Ａおよび内上枠６０Ａによって形成される上側開口を塞いでいる。
【００４８】
横板部材７２は、外下枠４０Ｂの外下枠本体４５および内下枠６０Ｂの内枠見込み片部６２の上方に配置され、ビス、金具によって当該外下枠本体４５および内枠見込み片部６２に取り付けられている。
横板部材７２の室内縁７３は、内下枠６０Ｂの長手方向に沿って配置されている。横板部材７２の一方の側縁は縦枠２０に沿って配置され、他方の側縁は縦枠３０に沿って配置されている。横板部材７２の一方の側縁は、他方の側縁よりも長く形成されている。従って、横板部材７２の室外縁７４は、室内縁７３に対して縦枠３０から縦枠２０にわたって室外側に傾斜している。
この横板部材７１は、縦枠２０，３０、外下枠４０Ｂおよび内下枠６０Ｂによって形成される下側開口を塞いでいる。
【００４９】
塞ぎパネル８０は、金属板によって形成されており、その室外縁８１側および室内縁８２側に段部８３，８４が形成されている（図５参照）。
塞ぎパネル８０の室内縁８２は、内上枠６０Ａの長手方向に沿って配置されている。塞ぎパネル８０の一方の側縁は縦枠２０に沿って配置され、他方の側縁は縦枠３０に沿って配置されている。塞ぎパネル８０の一方の側縁は、他方の側縁よりも長く形成されている。従って、塞ぎパネル８０の室外縁８１は、室内縁８２に対して縦枠３０から縦枠２０にわたって室外側に傾斜している。
この塞ぎパネル８０は、縦枠２０，３０、外上枠４０Ａおよび内上枠６０Ａによって形成される上側開口に配置され、段部８３にビス、金具を介して外上枠本体４１に取り付けられているとともに、段部８４にビス、金具を介して内上枠６０Ａの取付け片部６３に取り付けられている。また、段部８３，８４には湿式のシール材８５が施工されており、塞ぎパネル８０と外上枠本体４１および取付け片部６３との間の水密性を高めている。
この塞ぎパネル８０は、横板部材７１よりも上方に設置されて外上枠４０Ａおよび内上枠６０Ａ間を水密に塞いでいる。
【００５０】
［第１実施形態の施工］
以下、第１実施形態に係るカーテンウォール１の施工について説明する。
先ず、前述したカーテンウォールユニット１０を組み立てて複数準備する。
次に、各カーテンウォールユニット１０を建物躯体２の床スラブ５にファスナー等を介して取り付ける。
この際、各カーテンウォールユニット１０の室内面（縦枠２０，３０、内上枠６０Ａ、内下枠６０Ｂによって形成される室内面）を建物躯体２のフラットな壁面３に沿って配置する。左右方向においては、各カーテンウォールユニット１０の縦枠２０，３０を対向配置し、水密材１３Ａ同士、気密材１４同士を当接させる。上下方向においては、各カーテンウォールユニット１０の外上枠４０Ａおよび外下枠４０Ｂ同士、内上枠６０Ａおよび内下枠６０Ｂ同士を対向配置し、水密材１３Ｂおよび気密材１４同士を当接させる。
このように複数のカーテンウォールユニット１０を上下左右に並設することによって図３に示すように、外パネル５０の斜め向きが統一されたノコギリ状の外壁面を構成したカーテンウォール１を施工する。
【００５１】
第１実施形態に係るカーテンウォール１は、前述したノコギリ状の外壁面を構成するのみならず、山谷連続状の外壁面（図７参照）や、ノコギリ状部分と山谷連続状部分とが交互に連続した外壁面（図８参照）を構成可能である。
具体的には、図７に示すように、左右方向において各カーテンウォールユニット１０の縦枠２０同士、縦枠３０同士を対向配置することで、山谷連続状の外壁面を構成できる。ここで、外パネル５０の斜め向きは、延出枠体２２を縦枠２０ではなく縦枠３０に取り付けることによって、左右逆向きに配置可能である。
また、図８に示すように、左右方向において縦枠２０同士の対向配置箇所、縦枠２０，３０の対向配置箇所および縦枠３０同士の対向配置箇所を連続配置することで、ノコギリ状部分と山谷連続状部分とが交互に連続した外壁面を構成できる。
【００５２】
［第１実施形態の効果］
（１）縦枠２０の見込み寸法が縦枠３０の見込み寸法よりも長くされるため、縦枠２０，３０を建物躯体２のフラットな壁面３に直交する方向において当該壁面３から突出して配置した場合には、縦枠２０の室外端部は縦枠３０の室外端部よりも室外側に配置され、両室外端部に保持される外パネル５０は、水平方向において壁面３に対して斜めに配置される。このため、カーテンウォールユニット１０を上下左右に複数並設することにより、建物躯体２のフラットな壁面３に沿って配設されてジグザグ状の外壁面を構成するカーテンウォール１を形成できる。
（２）縦枠２０のパネル対向片部２２１，２３１が縦枠２０の見込み方向に直交する水平方向に対して傾斜して形成されるとともに、縦枠３０の室外側見付け片部２１１およびパネル対向片部３３１が縦枠３０の見込み方向に直交する水平方向に対して傾斜して形成されるため、縦枠２０のパネル対向片部２２１，２３１と縦枠３０の室外側見付け片部２１１およびパネル対向片部３３１とに対して外パネル５０を平行に配置することで、一般的なガスケット１２Ａ，１２Ｂなどを採用でき、施工性を向上できる。
（３）縦枠２０を、縦枠本体２１、押縁２３に加え、延出枠体２２を備えて構成することで、縦枠２０の見込み寸法を縦枠３０の見込み寸法よりも簡単に長く設定できる。これにより、建物躯体２の壁面３に対する外パネル５０の斜め配置の向きを左右逆向きに簡単に変更でき、図３，７，８に示すように様々なジグザグ状の外壁面を構成できる。
また、左右方向に並設したカーテンウォールユニット１０の縦枠本体２１，３１に沿って装着した水密材１３Ａ同士、気密材１４同士を容易に当接でき、水密性、気密性を向上できる。
（４）外上枠４０Ａおよび外下枠４０Ｂが縦枠２０，３０の室外上端部、室外下端部に取り付けられるため、外上枠４０Ａおよび外下枠４０Ｂを外パネル５０に沿って斜めに配置できる。これにより、縦枠２０，３０による外パネル５０の保持に加えて、外上枠４０Ａおよび外下枠４０Ｂによっても外パネル５０を保持するため、一般的な保持構造を採用でき、外パネル５０の四周を確実に保持できる。
（５）横板部材７１が外上枠４０Ａおよび内上枠６０Ａと別体に形成され、横板部材７２が外下枠４０Ｂおよび内下枠６０Ｂと別体に形成されるため、例えば、外上枠４０Ａ（外下枠４０Ｂ）および横板部材７１（横板部材７２）が押出し形材によって一定幅寸法を有して一体形成されたものを三角形状、台形状等の所定形状に全長カットする場合と比べ、横板部材７１，７２単体を加工すればよいので加工容易であり、また、無駄となる材料を減らすことができる。
（６）同一断面形状の押出し形材によって内上枠６０Ａおよび内下枠６０Ｂが形成されるため、構成を共通化でき、上下方向に並設したカーテンウォールユニット１０の内上枠６０Ａおよび内下枠６０Ｂに沿って装着した水密材１３Ｂ同士、気密材１４同士を容易に当接でき、水密性、気密性を向上できる。
さらに、内上枠６０Ａおよび内下枠６０Ｂの水密材１３Ｂ、気密材１４と、縦枠本体２１，３１の水密材１３Ａ、気密材１４とを連続配置することによって、カーテンウォールユニット１０の室内側寄りの位置に水密ラインを簡単に形成できる。
（７）塞ぎパネル８０によって外上枠４０Ａおよび内上枠６０Ａ間を横板部材７１の上方で塞ぐことで、カーテンウォールユニット１０の上方から外パネル５０の室内側に雨水が降り込むことを防ぐことができる。なお、塞ぎパネル８０と外上枠４０Ａおよび内上枠６０Ａとの間には、湿式のシール材８５が施工されることで、水密性を向上でき、より効果的に雨水の降り込みを防止できる。
【００５３】
［第２実施形態］
以下、本発明の第２実施形態を図面に基づいて説明する。
図９〜１２において、第２実施形態に係るカーテンウォール１Ａは、上下左右に複数並設されたカーテンウォールユニット１０Ａ（ダブルスキンカーテンウォールユニット）によって構成されている。
カーテンウォールユニット１０Ａは、前述したカーテンウォールユニット１０の構成に加え、縦枠本体２１，３１、内上枠６０Ａ、内下枠６０Ｂによって形成する室内側開口に設置された内パネルとしての内開き窓９０と、吊下げ部材１８に吊り下げ設置されたブラインド装置１９（図１１，１２参照）とを備え、横板部材７２に通気口７５が形成されている。
【００５４】
内開き窓９０には、障子９１が内開き可能とされる一般的なものが適宜採用されるので、その詳細な説明を省略する。
ブラインド装置１９には、複数のスラット１９１が傾動可能に上下方向に並んで設けられた一般的なものが採用されており、外パネル５０および内開き窓９０間に配置されている。ブラインド装置１９の上端は、取付金具１９２を介して吊下げ部材１８に取り付けられている。ブラインド装置１９の下端は、ボルト１９３を介して内下枠６０Ｂに固定されている。なお、このブラインド装置１９の操作により遮光可能である。
延出見込み片部２２２には、押縁２３と係合可能な鉤状の係合部２２２Ａを有しており、係合部２２２Ａよりも室外側部分に複数の通気口２２４が形成されている。複数の通気口２２４は、延出見込み片部２２２の上端側から下方に複数並んで形成され室内外空間を連通している。
係合片部２３２Ｂは、上下方向に間欠的に複数設けられている。従って、複数の係合片部２３２Ｂ間では通気可能である。
このように構成された押縁見込み片部２３２は、押縁２３の延出枠体２２への係合状態では、通気口２２４に対して縦枠２０の見付け方向における間隔を隔てて当該通気口２２４の外側に配置されている。このように配置されることで、押縁見込み片部２３２は通気口２２４を通気可能に覆っている。
通気口７５は、外部空間と外パネル５０および内開き窓９０間の空間とを連通している。通気口７５は、横板部材７２の長手方向に沿って複数並んで形成されており、縦枠２０側から縦枠３０側に向かうにつれて、各通気口７５の見込み長さ寸法が小さくなっている。
【００５５】
このカーテンウォールユニット１０Ａを複数並設することによっても、前述したカーテンウォール１と同様に、ノコギリ状の外壁面（図９参照）、山谷連続状の外壁面（図１３参照）、ノコギリ状部分と山谷連続状部分とが交互に連続した外壁面（図１４参照）を備えたカーテンウォール１Ａを構成可能である。
【００５６】
［第２実施形態の効果］
（１）第２実施形態に係るカーテンウォール１Ａによれば、第１実施形態に係るカーテンウォール１と同様の作用効果を発揮できる。
（２）さらに、カーテンウォールユニット１０Ａが、外パネル５０、横板部材７１，７２、塞ぎパネル８０に加え、縦枠２０，３０、内上枠６０Ａおよび内下枠６０Ｂによって形成される室内側開口に設置される内開き窓９０を備えるため、室外側に外パネル５０が配置されるとともに、室内側に内開き窓９０が配置されることとなる。これにより、外パネル５０および内開き窓９０間に空気層を形成でき、断熱性を向上できる。
（３）通気口２２４を縦枠２０の延出枠体２２に形成するとともに、通気口７５を横板部材７２に形成することで、外パネル５０および内開き窓９０間の空気を換気できる。具体的には、カーテンウォールユニット１０Ａの下方から通気口７５を通じて外パネル５０および内開き窓９０間に給気でき、外パネル５０および内開き窓９０間の熱せられた空気を当該通気口７５よりも高い位置にある通気口２２４を通じて排気できる。これにより、カーテンウォールユニット１０Ａの内部熱を効率的に放熱できる。
（４）縦枠２０の押縁２３が、延出枠体２２に形成された通気口２２４に対して間隔を隔てて配置される押縁見込み片部２３２を有するため、この押縁見込み片部２３２によって通気口２２４を通気可能にカバーでき、防塵性の向上を図ることができる。
また、押縁見込み片部２３２によって雨水を伴う外気の吹き込みに対し、カバー材端部から通気口２２４までの経路で水を流下させることで当該吹き込みを防止できる。
【００５７】
［変形例］
本発明は、以上の実施形態で説明した構成のものに限定されず、本発明の目的を達成できる範囲での変形例は、本発明に含まれる。
例えば、前記実施形態では、縦枠２０が、縦枠本体２１、延出枠体２２および押縁２３によって構成されているが、これに限定されず、例えば、縦枠本体２１および延出枠体２２に相当する構成が一体に形成され、これに押縁２３が係合して構成されてもよい。
【００５８】
前記実施形態では、外上枠４０Ａおよび外下枠４０Ｂを備えているが、これらのいずれか一方または双方の構成を省いてもよい。この場合、外パネル５０は、構造シーラントなどを用いて縦枠２０，３０の室外端部に接着して固定支持されてもよい。
【００５９】
前記実施形態では、縦枠本体２１，３１が同一断面形状の押出し形材によって形成されているが、これに限定されず、互いに断面形状が異なる押出形材によってそれぞれ形成されていてもよい。
また、前記実施形態では、外上枠本体４１および外下枠本体４５が同一断面形状の押出し形材によって形成されているが、これに限定されず、互いに断面形状が異なる押出形材によってそれぞれ形成されていてもよい。
さらに、前記実施形態では、内上枠６０Ａおよび内下枠６０Ｂが同一断面形状の押出し形材によって形成されているが、これに限定されず、互いに断面形状が異なる押出形材によってそれぞれ形成されていてもよい。
【００６０】
前記実施形態では、横板部材７１，７２を備えているが、これらのいずれか一方または双方の構成を省いてもよく、例えば、塞ぎパネル８０を備える場合には、横板部材７１の構成を省いてもよい。
また、前記実施形態では、外上枠４０Ａおよび内上枠６０Ａに取り付けられた塞ぎパネル８０を備えているが、この構成を省いてもよい。
【００６１】
第２実施形態では、横板部材７２に通気口７５が形成されているが、この通気口７５の構成を省いてもよい。
また、第２実施形態では、ブラインド装置１９を備えているが、この構成を省いてもよい。
【００６２】
第２実施形態では、内開き窓９０を内パネルとして備えているが、これに限定されず、内倒し窓、外開き窓、外倒し窓、突出し窓、すべり出し窓、固定窓等の各種インナーサッシを備えていてもよい。
【符号の説明】
【００６３】
１，１Ａ…カーテンウォール、２…建物躯体、３…壁面、４…梁、５…床スラブ、６…吊り天井、１０，１０Ａ…カーテンウォールユニット、１１…開口、１２Ａ，１２Ｂ…ガスケット、１３Ａ，１３Ｂ…水密材、１４…気密材、１５…雄嵌合部材、１６…雌嵌合部材、１７…耐火パネル、１８…吊下げ部材、１９…ブラインド装置、２０，３０…縦枠、２１，３１…縦枠本体、２２…延出枠体、２３，３３，４２，４６…押縁、４０Ａ…外上枠、４０Ｂ…外下枠、４１…外上枠本体、４５…外下枠本体、５０…外パネル、６０Ａ…内上枠、６０Ｂ…内下枠、６１…中空枠部、６２…内枠見込み片部、６３…取付け片部、６４…装着片部、６５…連結片部、７１，７２…横板部材、７３，８２…室内縁、７４，８１…室外縁、７５，２２４…通気口、８０…塞ぎパネル、８３，８４…段部、８５…シール材、９０…内開き窓、９１…障子、１９１…スラット、１９２…取付金具、１９３…ボルト、２１１…室外側見付け片部、２１１Ａ，２２１Ｂ，４１２…突起、２１２…縦枠見込み片部、２１２Ａ，２１２Ｂ，２３１Ａ，３３１Ａ，４２１Ａ，６４１，６４２…装着部、２１３…室内側見付け片部、２１４，２３２Ｂ，３３２，４１１，４２２…係合片部、２１５…延出片部、２２１，２３１，３３１，４２１…パネル対向片部、２２１Ａ，２２２Ａ，２３２Ａ，３３２Ａ，４１１Ａ，４２２Ａ…係合部、２２２…延出見込み片部、２２３…連結枠部、２２３Ａ…当接部、２２５…連結具、２３２…押縁見込み片部、２３２Ｃ…延出部、６１１…切欠部、６１２…連結片、６１３…蓋部材。
【図１】
0006445317.tif 000002
【図２】
0006445317.tif 000003
【図３】
0006445317.tif 000004
【図４】
0006445317.tif 000005
【図５】
0006445317.tif 000006
【図６】
0006445317.tif 000007
【図７】
0006445317.tif 000008
【図８】
0006445317.tif 000009
【図９】
0006445317.tif 000010
【図１０】
0006445317.tif 000011
【図１１】
0006445317.tif 000012
【図１２】
0006445317.tif 000013
【図１３】
0006445317.tif 000014
【図１４】
0006445317.tif 000015